(57)【特許請求の範囲】
【請求項１】
画像を取得する画像取得部と、
前記取得した画像を記憶すると共に、アクセスの種類を設定可能なアクセス制限テーブルを記憶する記憶部と、
無線回線を介して無線通信端末と通信する無線通信部と、
所定の条件を検出する検出部と、
前記検出部が前記所定の条件を検出したときに、前記無線通信部と無線通信端末との間の通信を維持させながら、前記アクセス制限テーブルに設定された条件に応じて、無線通信端末からのアクセスを制限する制御部と、
を有する、ことを特徴とする画像取得装置。
【請求項２】
前記無線通信部と無線通信端末との間の通信を確立するための通信情報が筐体上に表示される請求項１に記載の画像取得装置。
【請求項３】
前記検出部は時間計測手段を含み、前記所定の条件は所与の設定時間の経過である請求項１又は請求項２に記載の画像取得装置。
【請求項４】
前記画像取得部による画像取得を可能にする第１位置と前記画像取得部による画像取得を不可能にする第２位置との間を移動可能な可動部を更に有し、
前記検出部は前記可動部の位置を検出する位置検出手段を含み、前記所定の条件は前記可動部が前記第２位置に配置されることである請求項１又は請求項２に記載の画像取得装置。
【請求項５】
前記画像取得部に用紙を搬送するための第１位置と前記画像取得部への用紙の搬送を阻止するための第２位置との間を移動可能な可動部を更に有し、
前記検出部は前記可動部の位置を検出する位置検出手段を含み、前記所定の条件は前記可動部が前記第２位置に配置されることである請求項１又は請求項２に記載の画像取得装置。
【請求項６】
前記検出部は前記筐体に配置されるボタンが継続的に押下された時間を検出する時間検出手段を含み、前記所定の条件は所与の設定時間の経過である請求項２に記載の画像取得装置。
【発明の詳細な説明】
【技術分野】
【０００１】
本発明は、無線通信部を有する画像取得装置に関する。
【背景技術】
【０００２】
携帯情報端末装置を使用して、種々の情報を閲覧することが知られている。また、原稿など電子化されていない情報をデジタルカメラなどの画像撮像装置、若しくはファクシミリ、ＭＦＰ（Multifunction Peripheral、多機能周辺機器）又はスキャナなどの画像読取装置などの画像取得装置を使用して電子化することが知られている。更に、オフィス内などの特定の場所だけでなく、様々な場所で、電子化されていない情報を電子化し、多数の人と情報を共有したいというニーズがある。
【０００３】
このようなニーズに対応するためには、様々な方策が考えられる。第１に、パーソナルコンピュータとスキャナとを使用する方策が考えられるが、パーソナルコンピュータは持ち運ぶのに不便である。第２に、電子化されていない情報をデジタルカメラを使用して電子化する方策が考えられるが、デジタルカメラで原稿を簡便且つ綺麗に取り込むことは容易でない。第３に、電子化されていない情報をＭＦＰを使用して電子化する方策が考えられるが、ＭＦＰを持ち運ぶことは容易でない。更に、これらの方策では、原稿の電子化をする場所に画像取得装置に対応するドライバがない場合、対応するドライバをインストールし、且つプリンタのＩＰアドレス、プリンタポート、及び使用するプリントプロトコル等のネットワーク情報を設定する必要がある。
【０００４】
これらの課題を解決するために、画像取得装置を制御するための専用のドライバソフトウェアをクライアントにインストールし、ドライバソフトを設定することを不要とするシステムが知られる（例えば、特許文献１を参照）。特許文献１に記載されるシステムでは、サーバは、プリンタに対してサービスの実行を指示するためのウェブページを生成し、ウェブブラウザからのリクエストに応答してウェブページを送信する。次に、サーバは、プリンタに対するサービスの実行指示を示すＨＴＴＰリクエストをウェブブラウザから受信し、ＨＴＴＰリクエストに従って、プリンタにサービスの実行を指示する。次にサーバは、プリンタから、サービスの完了通知又はエラー通知を受信し、完了通知又はエラー通知を、ＨＴＴＰリクエストに対するＨＴＴＰレスポンスとしてウェブブラウザに送信する。
【先行技術文献】
【特許文献】
【０００５】
【特許文献１】特開２０１１−４８８５７号公報
【発明の概要】
【発明が解決しようとする課題】
【０００６】
特許文献１に記載されるシステムを採用することにより、様々な場所で、情報を電子化した上で、電子化された情報を無線通信回線を介して共有することが可能になる。しかしながら、電子化された情報を無線接続手段により共有する場合には、サーバである画像取得装置とクライアントとの間の無線通信回線のセキュリティレベルを簡便且つ迅速に切り替えることが望まれる。無線通信回線を利用する場合には、通信可能な何れのクライアントからもアクセス可能な状態になるため、秘匿性の高い情報を共有するときには、通信可能な時間的な範囲、及び通信可能なクライアントを制限することが望まれるためである。
【０００７】
そこで、本発明は、簡便且つ迅速に無線通信回線のセキュリティレベルを切替えられる画像取得装置を提供することを目的とする。
【課題を解決するための手段】
【０００８】
上記課題を解決するために、本発明に係る画像取得装置は、画像を取得する画像取得部と、取得した画像を記憶する記憶部と、無線回線を介して無線通信端末と通信する無線通信部と、所定の条件を検出する検出部とを有する。更に、本発明に係る画像取得装置は、検出部が所定の条件を検出したときに、無線通信部と無線通信端末との間の通信を維持させながら、無線通信端末からのアクセスを制限する制御部を有する。
【０００９】
さらに、無線通信部と無線通信端末との間の通信を確立するための通信情報が筐体上に表示されることが好ましい。
【００１０】
さらに、検出部は時間計測手段を含み、所定の条件は所与の設定時間の経過であることが好ましい。
【００１１】
さらに、画像取得部による画像取得を可能にする第１位置と画像取得部による画像取得を不可能にする第２位置との間を移動可能な可動部を更に有し、検出部は可動部の位置を検出する位置検出手段を含み、所定の条件は可動部が第２位置に配置されることであることが好ましい。
【００１２】
さらに、画像取得部に用紙を搬送するための第１位置と画像取得部への用紙の搬送を阻止するための第２位置との間を移動可能な可動部を更に有し、検出部は可動部の位置を検出する位置検出手段を含み、所定の条件は可動部が第２位置に配置されることであることが好ましい。
【００１３】
さらに、検出部は筐体に配置されるボタンが継続的に押下された時間を検出する時間検出手段を含み、所定の条件は所与の設定時間の経過であることが好ましい。
【発明の効果】
【００１４】
本発明に係る画像取得装置では、所定の条件を検出したときに、無線通信部と無線通信端末との間の通信を維持させながら、無線通信端末からのアクセスを制限するので、簡便且つ迅速に無線通信回線のセキュリティレベルが切替えられることが可能になった。
【図面の簡単な説明】
【００１５】
【図１】画像読取装置をサーバとする無線通信システムを示す図である。
【図２】画像読取装置の斜視図である。
【図３】画像読取装置の断面図である。
【図４】画像読取装置の回路ブロック図である。
【図５】画像読取装置の制御部の機能ブロック図である。
【図６】画像読取装置の画像読取処理を示すフロー図である。
【図７】携帯情報端末装置の回路ブロック図である。
【図８】携帯情報端末装置の制御部の機能ブロック図である。
【図９】画像読取装置をサーバとする無線通信システムにおける通信処理を示すフロー図である。
【図１０】携帯情報端末装置の表示部の表示の例を示す。
【図１１】携帯情報端末装置の表示部の表示の他の例を示す。
【図１２】画像読取装置をサーバとする無線通信システムにおける通信処理を示すフロー図である。
【図１３】画像読取装置をサーバとする無線通信システムにおける通信処理を示すフロー図である。
【図１４】画像撮像装置をサーバとする無線通信システムを示す図である。
【図１５】画像撮像装置の正面図である。
【図１６】画像撮像装置の回路ブロック図である。
【図１７】画像撮像装置の制御部の機能ブロック図である。
【図１８】画像撮像装置の画像撮像処理を示すフロー図である。
【図１９】画像撮像装置をサーバとする無線通信システムにおける通信処理を示すフロー図である。
【発明を実施するための形態】
【００１６】
以下、本発明に係る実施形態に従う画像取得装置について、図面を参照して詳細に説明する。なお、本発明の開示において提供される図は、本発明の説明を意図したものであり、構成素子の大きさの比率を示すことを意図したものではないことを理解されたい。また、それぞれの図面において、同一又は類似する機能を有する構成要素には、同一又は類似する符号が付される。したがって、先に説明した構成要素と同一又は類似する機能を有する構成要素に関しては、改めて説明をしないことがある。
【００１７】
図１は、画像読取装置１をサーバとする無線通信システム１００を示す図である。無線通信システム１００は、サーバとして機能する画像読取装置１と、画像読取装置１に無線通信回線を介して接続されてクライアントとして機能する複数の携帯情報端末装置２００ａ〜２００ｃとを有している。複数の携帯情報端末装置２００ａ〜２００ｃは、何れも同一の機能を有するクライアントとして機能するので、以下では、複数の携帯情報端末装置２００ａ〜２００ｃを総じて携帯情報端末装置２００と称して説明する。
【００１８】
図２（ａ）は、画像読取装置１の読取機能が無効な状態の画像読取装置１の斜視図である。図２（ｂ）は、画像読取装置１の読取機能が有効な状態の画像読取装置１の斜視図である。図３（ａ）は、図２（ａ）のＡＡ´断面図である。図３（ｂ）は、図２（ｂ）のＢＢ´断面図である。
【００１９】
画像読取装置１は、筐体２と、第１給紙ガイド３、排出ガイド４、操作ボタン５、トップカバー６、第２給紙ガイド７、表示部８、開閉検出部９、及びボトムカバー１０等を有している。また、画像読取装置１は、画像読取部１３、第１及び第２搬送ローラ１４ａ及び１４ｂ、上ガイド１５ａ、下ガイド１５ｂ、並びに原稿検出部１６等を有している。
【００２０】
第１給紙ガイド３は、図３（ａ）の矢印Ｃで示すように、樹脂材料で形成され、両端に形成されてるヒンジにより筐体２に開閉可能に係合している。図２（ｂ）に示す状態では、第１給紙ガイド３は、第２給紙ガイド７とともに、伸長面を形成するように配置され、原稿の搬送路を形成する。
【００２１】
排出ガイド４は、図３（ａ）の矢印Ｄで示すように、樹脂材料で形成され、両端に形成されてるヒンジにより筐体２に開閉可能に係合している。図３（ａ）に示す状態では、排出ガイド４は、トップカバー６に対向する位置に配置される。図３（ｂ）に示す状態では、排出ガイド４は、鉛直面を形成するように配置され、原稿の排出路を形成する。
【００２２】
操作ボタン５は、筐体の上面に配置され、押下されると、操作ボタン押下検出信号を生成して、後述する制御部１１に送信する。操作ボタン検出信号を受信した制御部１１は、操作ボタン検出押下信号によって、後述するように、画像読取処理の開始、終了、画像読取装置１へのアクセス制限及び画像読取装置１へのアクセス制限の解除等の判断を行う。
【００２３】
トップカバー６は、排出ガイド４の下方に配置され、原稿づまりの処理時及び画像読取装置１内部の清掃時等に開閉可能なように、ヒンジにより筐体２に係合している。
【００２４】
表示部８は、ＬＣＤを有し、筐体２の正面端部に配置される。表示部８には、無線通信回線のネットワークの識別子など無線通信を確立するために使用される通信情報に対応するＱＲコード（登録商標）等が表示される。
【００２５】
開閉検出部９は、検出センサを有し、第１給紙ガイド３が閉じられているときに、第１給紙ガイド３に対向する位置に配置される。開閉検出部９は、第１給紙ガイド３が閉じられている場合は、第１給紙ガイド３の近接を検出し、第１給紙ガイド３が閉じられていることを示す第１給紙ガイド閉検出信号を生成し、制御部１１に送信する。
【００２６】
画像読取部１３は、ＣＣＤセンサを有し、上ガイド１５ａと下ガイド１５ｂとの間に挟持される原稿を読み取って、原稿に対応する画像信号を生成して、制御部１１に出力する。
【００２７】
第１及び第２搬送ローラ１４ａ及び１４ｂは、不図示のモータにより駆動され、挿入された原稿（図示せず）を上ガイド１５ａと下ガイド１５ｂの間に案内し、且つ画像読取部１３に読み取られた原稿を排出ガイド４を通して外部に排出する。図３（ｂ）の矢印Ｅは、画像読取装置１内における原稿の搬送経路を示している。
【００２８】
図３（ａ）に示すように、画像読取装置１は、第１給紙ガイド３及び排出ガイド４が閉じられている場合、画像読取装置１は、原稿を搬送することができない。即ち、図３（ａ）に示す状態は、画像読取装置１の読取機能が無効な状態である。一方、図３（ｂ）に示すように、画像読取装置１は、第１給紙ガイド３及び排出ガイド４が開いている場合、画像読取装置１は、原稿を搬送することができる。即ち、図３（ｂ）に示す状態は、画像読取装置１の読取機能が有効な状態である。
【００２９】
原稿検出部１６は、検出センサを有し、第２給紙ガイド７に原稿が配置されている場合は、原稿を検出して、原稿セット検出信号を生成し、制御部１１に送信する。
【００３０】
図４は、画像読取装置１の回路ブロック図である。画像読取装置１は、アンテナ部３１、高周波処理部３２、ベースバンド処理部３３等を更に有している。
【００３１】
制御部１１は、メモリ１２に格納されたコンピュータプログラムに従い画像読取装置１の動作を制御する。制御部１１は、画像読取装置１が読み取るための画像読取プログラム及び無線通信回線を介して通信するための通信プログラムを実行するＣＰＵ（Central Processing Unit: 中央処理ユニット）や、ＤＳＰ（digital signal processor）を備える。メモリ１２には、画像読取プログラム及び通信プログラムが格納される。メモリ１２には、画像読取プログラム及び通信プログラムのほか、その実行の際に使用されるデータや、制御部１１により生成される原稿の画像データが格納される。メモリ１２は、画像読取プログラムを記憶するための非揮発性記憶装置や、データを一次的に記憶するための揮発性メモリを含んでいてよい。なお、他の実施例では、画像読取処理を行うための、ＬＳＩ（large scale integration）やＡＳＩＣ（Application Specific Integrated Circuit）、ＦＰＧＡ（Field-Programming Gate Array）等の論理回路を備えていてもよい。以下に説明される画像読取処理及び通信処理の一部又は全部をハードウェア処理によって実行してもよい。
【００３２】
アンテナ部３１は、無線信号を送受信し、高周波処理部３２は、送信する無線信号をベースバンド信号から変換するとともに、受信された無線信号をベースバンド信号に変換する。ベースバンド処理部３３は、ベースバンド信号とディジタル信号とを相互に変換する。
【００３３】
図５は、画像読取装置１の制御部１１の機能ブロック図である。制御部１１は、読取処理部５０と、画像生成部５１と、無線通信接続部５２と、ウェブサーバ部５３と、アプリケーションサーバ部５４と、時間計測部５５と、操作ボタン押下時間測定部５６とを有する。これらの構成要素５０〜５６による処理は、メモリ１２に格納された画像読取プログラム及び通信プログラムをそれぞれ制御部１１が実行することによって実施される。なお、図５は、以下の説明に関係する機能を中心として示している。このため、制御部１１は図示の構成要素以外の他の構成要素を含んでいてよい。
【００３４】
読取処理部５０は、画像読取部１３並びに第１及び第２搬送ローラ１４ａ及び１４ｂ等のハードウェアを駆動し、原稿を読み取る際の画像読取装置１の動作を制御する。画像生成部５１は、画像読取部１３の出力信号から画像データを生成する。
【００３５】
無線通信接続部５２は、携帯情報端末装置などの無線通信端末との間の無線通信接続を、ビーコン信号を相互に送受信することにより、接続し且つ維持する。ビーコン信号は、ＷｉＦｉ（登録商標）表示が付される機器などIEEE 802.11シリーズに準拠する機器から一定時間ごとに発信される信号であり、ネットワークの識別子であるＥＳＳＩＤ（Extended Service Set identification Data）を含む。無線通信接続の方式では、パッシブスキャン方式及びアクティブスキャン方式の２つの方式が規定される。パッシブスキャン方式は、無線アクセスポイント、すなわちサーバからビーコン信号を送信することにより通信接続処理を開始する方式である。一方、アクティブスキャン方式は、クライアントからの通信接続要求により通信接続処理を開始する方式である。
【００３６】
ウェブサーバ部５３は、無線通信回線を介して無線通信端末のウェブブラウザからのＨＴＴＰ要求信号を受信する。ＨＴＴＰ要求信号を受信したウェブサーバ部５３は、受信したＨＴＴＰ要求信号に対応する処理要求信号をアプリケーションサーバ部５４に送信する。処理要求信号を受信したアプリケーションサーバ部５４は、処理要求信号に応じた処理を実行する。アプリケーションサーバ部５４は、処理の実行により生成された応答情報に対応する応答情報信号をウェブサーバ部５３に返信する。ウェブサーバ部５３はアプリケーションサーバ部５４から応答情報信号を受信し、受信した応答情報信号に対応するＨＴＴＰ応答情報信号を無線通信端末のウェブブラウザに送信する。
【００３７】
また、ウェブサーバ部５３は、通常モード、完全アクセス制御モード、及び部分アクセス制御モードの３つのモードを有する。ウェブサーバ部５３は、アクセス制御移行条件が成立したときに、通常モードから完全アクセス制御モード、又は部分アクセス制御モードに移行する。通常モードからアクセス制御に移行する条件として、制御部１１が第１給紙ガイド閉検出信号を受信すること、読取処理を実行してから一定時間経過すること、及び操作ボタン５の一定時間継続して長押しされることがある。ウェブサーバ部５３が完全アクセス制御モードに移行するか、又は部分アクセス制御モードに移行するかは、メモリ１２に記憶されるアクセス制限テーブルにおいて設定される。また、アクセス制限テーブルは、部分アクセス制御モードにおいて制限されるアクセスの種類も設定可能である。アクセス制限テーブルの設定は、アクセス制限設定用紙の読み取りなどにより行う。
【００３８】
ウェブサーバ部５３が完全アクセス制御モードに移行すると、ウェブサーバ部５３は、無線通信端末からのアクセスの全部を制限する。ウェブサーバ部５３が無線通信端末からのアクセスの全部を制限する場合、ウェブサーバ部５３は、機能を停止する。このため、画像読取装置１は、サーバとしての機能を停止する。
【００３９】
一方、ウェブサーバ部５３が部分アクセス制御モードに移行すると、無線通信端末からのアクセスされたときに、ウェブサーバ部５３は、ＨＴＴＰアクセス制限画像信号を送信する。
【００４０】
時間計測部５５は、読取処理部５０による画像読取処理が終了した時からの時間を計測し、所定のアクセス制限待機時間が経過したときに、アクセス制限待機時間経過信号を生成する。
【００４１】
操作ボタン押下時間測定部５６は、操作ボタン押下検出信号に基づいて、操作ボタン５が押下されたことを検出した時からの時間を計測し、所定の時間が経過したときに、操作ボタン押下時間経過信号を生成する。制御部１１は、生成された操作ボタン押下時間経過信号の数を累積加算して、操作ボタン押下回数情報としてメモリ１２に記憶する。制御部１１は、操作ボタン押下回数情報が奇数の場合、ウェブサーバ部５３を完全アクセス制御モード又は部分アクセス制御モードに移行する。また、制御部１１は、操作ボタン押下回数情報が偶数の場合、ウェブサーバ部５３を通常モードに移行する。これにより、ウェブサーバ部５３が通常モードのときに、操作ボタン押下時間経過信号が生成されると、制御部１１は、ウェブサーバ部５３を通常モードから完全アクセス制御モード又は部分アクセス制御モードに移行する。一方、ウェブサーバ部５３が完全アクセス制御モード又は部分アクセス制御モードのときに、操作ボタン押下時間経過信号が生成されると、制御部１１は、ウェブサーバ部５３を完全アクセス制御モード又は部分アクセス制御モードから通常モードに移行する。
【００４２】
図６を参照して、画像読取装置１による画像読取処理について説明する。図６は、画像読取装置１による画像読取処理を示すフロー図である。図６に示すフローは、画像読取装置１のメモリ１２に記憶されるコンピュータプログラムにより、画像読取装置１の制御部１１が実行する。
【００４３】
まず、ステップＳ１０１において、画像読取装置１は電源が投入される。画像読取装置１は電源が投入されると、メモリ１２に記憶される読取カウンタ、内蔵タイマ、及び画像処理ワークメモリ等のデータを初期化する。
【００４４】
次いで、ステップＳ１０２において、画像読取装置１は、アクセス制限設定用紙を読み取る。アクセス制限設定用紙は、アクセス制限設定用紙であることを画像読取装置１が認識するための認識表示と、各種の設定データとが表示される。設定データには、アクセス制限モードの種類、部分アクセス制御モードにおいて制限されるアクセスの種類が含まれる。更に、設定データには、読取処理を実行してからアクセス制限モードに移行するまでの時間、及び操作ボタン５の長押しによりウェブサーバ部５３のモードを切り替えるための長押し時間などが含まれる。なお、アクセス制限に関する設定を変更しない場合、ステップＳ１０２の処理は省略することができる。
【００４５】
次いで、ステップＳ１０３において、画像読取装置１は、オペレータが操作ボタン５を押下したことを検出する。画像読取装置１が操作ボタン５の第１の押下を検出することにより、画像読取装置１は、読取状態になる。
【００４６】
次いで、ステップＳ１０４において、画像読取装置１は、原稿が第２給紙ガイド７に配置されているか否かを判定する。画像読取装置１が原稿が第２給紙ガイド７に配置されていると判定した場合は、処理はステップＳ１０５に進む。一方、画像読取装置１が原稿が第２給紙ガイド７に配置されていないと判定した場合は、処理はステップＳ１０４に戻る。制御部１１は、原稿検出部１６から原稿セット検出信号を受信したか否かに基づいて、原稿が第２給紙ガイド７に配置されているか否かを判定する。
【００４７】
画像読取装置１が原稿が第２給紙ガイド７に配置されていると判定した場合は、ステップＳ１０５において、画像読取装置１は、読取処理部５０を機能させて原稿を読み取る。
【００４８】
次いで、ステップＳ１０６において、画像読取装置１は、オペレータが操作ボタン５を再び押下したか否かを判定する。画像読取装置１が操作ボタン５の第２の押下を検出することにより、画像読取装置１は、読取状態を終了するためである。操作ボタン５が再び押下されていないと判定される場合、処理は、ステップＳ１０４に戻る。操作ボタン５が再び押下されたと判定される場合、処理は、Ｓ１０７に進む。
【００４９】
そして、ステップＳ１０７において、画像読取装置１は、画像生成部５１を機能させて画像データを生成する。
【００５０】
図７は、無線通信システム１００に含まれる携帯情報端末装置２００の回路ブロック図である。携帯情報端末装置２００は、端末制御部２１１と、端末メモリ２１２と、端末表示部２１３と、端末操作入力部２１４と、端末インタフェース部２１５を有する。携帯情報端末装置２００は、端末アンテナ部２３１と、端末高周波処理部２３２と、端末ベースバンド処理部２３３とを更に有する。
【００５１】
端末制御部２１１は、端末メモリ２１２に格納されたコンピュータプログラムに従い携帯情報端末装置２００の動作を制御する。端末制御部２１１は、携帯情報端末装置２００が無線通信回線を介して通信するための通信プログラムを実行するＣＰＵや、ＤＳＰを備える。端末メモリ２１２には、通信プログラムが格納される。端末メモリ２１２には、通信プログラムのほか、その実行の際に使用されるデータや、無線通信回線を介して画像読取装置１から取得される画像データが格納される。端末メモリ２１２は、通信プログラムを記憶するための非揮発性記憶装置や、データを一次的に記憶するための揮発性メモリを含んでいてよい。なお、他の実施例では、画像読取処理を行うためのＬＳＩやＡＳＩＣ等の論理回路を備えていてもよい。以下に説明される通信処理の一部又は全部をハードウェア処理によって実行してもよい。
【００５２】
端末表示部２１３は、携帯情報端末装置２００の正面部に形成されるＬＣＤであり、無線通信回線を介して画像読取装置１から取得された画像を表示するとともに、端末操作入力部２１４の一部の機能をＧＵＩ上に表示されたソフトウェアボタンとして表示する。端末表示部２１３の表面に設けられた透明のタッチパネルの出力信号を検出することによって、ソフトウェアボタンの操作による入力を受け付ける。
【００５３】
端末操作入力部２１４は、オペレータによる操作により生じる入力信号を受け付ける。端末インタフェース部２１５は、携帯情報端末装置２００と他の装置との間の有線通信インタフェースである。携帯情報端末装置２００は、画像読取装置１から取得された画像データを端末インタフェース部２１５を介してパーソナルコンピュータ（図示せず）へ送信することが可能である。
【００５４】
端末アンテナ部２３１は、画像読取装置１との間で無線信号を送受信し、端末高周波処理部２３２は、画像読取装置１に送信する無線信号をベースバンド信号から変換するとともに、画像読取装置１から受信された無線信号をベースバンド信号に変換する。端末ベースバンド処理部２３３は、ベースバンド信号とディジタル信号とを相互に変換する。
【００５５】
図８は、携帯情報端末装置２００の端末制御部２１１の機能ブロック図である。端末制御部２１１は、ユーザインタフェース部２５１と、端末無線通信接続部２５２と、ウェブブラウザ部２５３とを備える。これらの構成要素２５１〜２５３による処理は、端末メモリ２１２に格納された通信プログラムを端末制御部２１１が実行することによって実施される。なお、図８は、以下の説明に関係する機能を中心として示している。このため、端末制御部２１１は図示の構成要素以外の他の構成要素を含んでいてよい。
【００５６】
ユーザインタフェース部２５１は、オペレータが携帯情報端末装置２００に対して各種の操作又は設定を行う際に、携帯情報端末装置２００とオペレータの操作との仲介を行うプログラムである。ユーザインタフェース部２５１は、端末操作入力部２１４を介して入力されるオペレータの操作情報に従って、端末メモリ２１２に記憶される各種プログラムに操作情報を転送して、それぞれに応じた処理の実行依頼又はデータの設定等を行う。
【００５７】
端末無線通信接続部２５２は、画像読取装置１との間の無線通信接続を、ビーコン信号を相互に送受信することにより、接続し且つ維持する。
【００５８】
ウェブブラウザ部２５３は無線通信回線を介して画像読取装置１のウェブサーバ部５３に対してＨＴＴＰ接続し、画像読取装置１が提供する各種処理を実行するためのプログラムである。ウェブブラウザ部２５３は、端末操作入力部２１４から入力されるオペレータによる入力を受け付けて、オペレータ入力に対応するオペレータ入力信号を画像読取装置１のウェブサーバ部５３に送信する。また、ウェブブラウザ部２５３は、画像読取装置１のウェブサーバ部５３から受信した信号をユーザインタフェース部２５１を介して端末メモリ２１２が記憶可能なデータに変換し、変換されたデータを端末メモリ２１２に記憶する。
【００５９】
図９を参照して、画像読取装置１をサーバとし且つ携帯情報端末装置２００をクライアントとする無線通信システム１００における通信処理について説明する。図９は、無線通信システム１００における通信処理のフロー図である。図９に示すフローは、画像読取装置１のメモリ１２及び携帯情報端末装置２００の端末メモリ２１２にそれぞれ記憶されるコンピュータプログラムにより、画像読取装置１の制御部１１及び携帯情報端末装置２００の端末制御部２１１が、対応する処理をそれぞれ実行する。
【００６０】
まず、ステップＳ２０１において、画像読取装置１は、携帯情報端末装置２００と無線通信回線を接続する。ここでは、携帯情報端末装置２００は、画像読取装置１から送信されるビーコン信号を受信して、画像読取装置１をアクセスポイントとする無線通信回線の品質が安定していることを確認し、且つ画像読取装置１をサーバとして確認する。次いで、携帯情報端末装置２００は、画像読取装置１に認証を要求し、画像読取装置１は、携帯情報端末装置２００が画像読取装置１をアクセスポイントとする無線通信回線のクライアントとして正当であるか否かを確認する。次いで、画像読取装置１と携帯情報端末装置２００とは、サーバ―クライアント間の関係を確立するために、互いのＳＳＩＤを交換する。そして、画像読取装置１は、携帯情報端末装置２００のＳＳＩＤを管理テーブルに登録することにより、画像読取装置１と携帯情報端末装置２００との間の無線通信回線の接続処理は完了する。これらの接続処理は、画像読取装置１の無線通信接続部５２と携帯情報端末装置２００の端末無線通信接続部２５２との間で実行される。また、接続処理が完了した後も、画像読取装置１及び携帯情報端末装置２００はそれぞれ、所定の周期でビーコン信号の送受信を継続する。
【００６１】
次いで、ステップＳ２０２において、画像読取装置１は、図６に示す画像読取処理フローに従って、原稿を読み取る。
【００６２】
次いで、ステップＳ２０３において、携帯情報端末装置２００はアクセス要求信号を送信する。ここでは、携帯情報端末装置２００は、オペレータにより端末表示部２１３に「閲覧」と表示されるソフトウェアボタンが押下されたことを検出し、ユーザインタフェース部２５１及びウェブブラウザ部２５３を介して、ＨＴＴＰアクセス要求信号を送信する。
【００６３】
次いで、ステップＳ２０４において、画像読取装置１は、アクセス要求信号を受信する。ここでは、ウェブサーバ部５３が、ＨＴＴＰアクセス要求信号を受信して、対応するアクセス要求信号をアプリケーションサーバ部５４に送信する。アプリケーションサーバ部５４は、送信したアクセス要求信号に基づいてアクセス要求情報を生成する。
【００６４】
次いで、ステップＳ２０５において、画像読取装置１は、第１給紙ガイド３が開いているか否かを判定する。ここでは、制御部１１は、開閉検出部９から第１給紙ガイド閉検出信号を受信しているか否かを判定する。制御部１１が第１給紙ガイド閉検出信号を開閉検出部９から受信していない場合は、第１給紙ガイド３が開けられていると判定され、処理は、ステップＳ２０６に進む。一方、制御部１１が第１給紙ガイド閉検出信号を開閉検出部９から受信している場合は、第１給紙ガイド３が閉じられていると判定され、処理は、ステップＳ２１３に進む。
【００６５】
第１給紙ガイド３が開いていると判定された場合、ステップＳ２０６において、画像読取装置１は、アクセス許可信号を送信する。ここでは、アプリケーションサーバ部５４は、アクセス許可信号をウェブサーバ部５３に送信する。次いで、ウェブサーバ部５３は、アクセス許可信号に対応するＨＴＴＰアクセス許可信号を携帯情報端末装置２００のウェブブラウザ部２５３に送信する。
【００６６】
次いで、ステップＳ２０７において、携帯情報端末装置２００は、画像読取装置１からアクセス許可信号を所定のアクセス許可時間の間に受信するか否かを判定する。携帯情報端末装置２００が、所定のアクセス許可時間の間に画像読取装置１からアクセス許可信号を受信した場合は、携帯情報端末装置２００は、画像読取装置１がアクセスを許可したと判定して、ステップＳ２０８に進む。一方、携帯情報端末装置２００が、所定のアクセス許可時間の間に画像読取装置１からアクセス許可信号を受信しなかった場合は、携帯情報端末装置２００は、画像読取装置１がアクセスを制限したと判定して、ステップＳ２１４に進む。
【００６７】
ステップＳ２０７において、携帯情報端末装置２００がアクセスを許可されたと判定した場合、ステップＳ２０８において、携帯情報端末装置２００は、画像要求信号を画像読取装置１に送信する。ここでは、携帯情報端末装置２００は、ユーザインタフェース部２５１及びウェブブラウザ部２５３を介して、ＨＴＴＰ画像要求信号を送信する。
【００６８】
次いで、ステップＳ２０９において、画像読取装置１は、画像要求信号を携帯情報端末装置２００から受信する。ここでは、ウェブサーバ部５３が、ＨＴＴＰ画像要求信号を受信して、対応する画像要求信号をアプリケーションサーバ部５４に送信する。次いで、画像要求信号が送信されたアプリケーションサーバ部５４は、メモリ１２に記憶される単数又は複数の画像データにアクセスする。
【００６９】
次いで、ステップＳ２１０において、画像読取装置１は、単数又は複数の画像信号を携帯情報端末装置２００に送信する。ここでは、アプリケーションサーバ部５４は、単数又は複数の画像データをウェブサーバ部５３に送信する。次いで、ウェブサーバ部５３は、画像データに対応するＨＴＴＰ画像データを携帯情報端末装置２００のウェブブラウザ部２５３に送信する。
【００７０】
次いで、ステップＳ２１１において、携帯情報端末装置２００は、ＨＴＴＰ画像信号を受信する。ここでは、ＨＴＴＰ画像データを受信したウェブブラウザ部２５３は、ユーザインタフェース部２５１を介して、対応する画像データを端末メモリ２１２に記憶する。
【００７１】
次いで、ステップＳ２１２において、携帯情報端末装置２００は、画像を端末表示部２１３に表示する。ここでは、ユーザインタフェース部２５１は、端末メモリ２１２に記憶される画像データを端末表示部２１３に表示可能なデータに変換し、端末表示部２１３に画像を表示する。
【００７２】
図１０（ａ）に、ステップＳ２１２において、端末表示部２１３に表示される画像を含む表示画面を示す。図１０（ａ）において、端末表示部２１３には、画像２８０ａ〜２８０ｆと、ソフトウェアボタン部２８１とが表示される。
【００７３】
画像２８０ａ〜２８０ｆは、画像読取装置１のメモリ１２に記憶されている画像データに対応する画像である。画像２８０ａ〜２８０ｆは、オペレータにより押下されることにより選択表示される。図１０（ｂ）に、オペレータにより押下されて、画像２８０ａが選択表示された図を示す。オペレータは、図１０（ｂ）に示される画像２８０ａを適当にタッチすることにより、表示状態を様々に変更できる。例えば、画像２８０ａを右方向から左方向に連続的にタッチすることにより、次頁を表示できる。
【００７４】
ソフトウェアボタン部２８１には、設定ボタン２８１ａと、ダウンロードボタン２８１ｂと、コンテンツボタン２８１ｃと、削除ボタン２８１ｄと、リスト切換ボタン２８１ｅとが表示される。これらのソフトウェアボタンは、オペレータにより押下されることにより所定の機能を実行するように機能する。
【００７５】
設定ボタン２８１ａを押下することにより、画像読取装置１内部の設定を変更するための変更画面、又は無線通信回線の設定を変更するための変更画面などを介して種々の設定を変更することができる。
【００７６】
ダウンロードボタン２８１ｂを押下することにより、選択表示されている画像の画像データを画像読取装置１のメモリ１２から携帯情報端末装置２００の端末メモリ２１２にダウンロードすることができる。
【００７７】
コンテンツボタン２８１ｃを押下することにより、選択表示されている画像に対応する画像読取装置１のメモリ１２内部の画像データを編集することができる。選択表示されている画像の編集には、画像を切り出すこと、画像の頁順序の入れ替えること、複数の画像を纏めてドキュメントを作成することなどが含まれる。例えば、図１０（ｂ）に示される状態でコンテンツボタン２８１ｃを押下することにより、画像２８０ａを編集できる。
【００７８】
削除ボタン２８１ｄを押下することにより、選択表示されている画像に対応する画像データを画像読取装置１のメモリ１２から削除することができる。例えば、図１０（ｂ）に示される状態でコンテンツボタン２８１ｃを押下することにより、画像２８０ａを削除できる。
【００７９】
リスト切換ボタン２８１ｅを押下することにより、表示されている画像をテキスト文字表示に切り替えることができる。例えば、図１０（ａ）に示される状態でコンテンツボタン２８１ｃを押下することにより、画像２８０ａ〜２８０ｆの表示を画像２８０ａ〜２８０ｆにそれぞれ対応するテキストの表示に切り替えることができる。
【００８０】
次に、ステップＳ２０５において、画像読取装置１が第１給紙ガイド３が閉じていると判定した場合について説明する。再び図９を参照して、ステップＳ２１３において、画像読取装置１は、ウェブサーバ部５３は、完全アクセス制限モードであるか、又は部分アクセス制限モードであるかを判定する。
【００８１】
ステップＳ２１３において、ウェブサーバ部５３が完全アクセス制限モードであると判定された場合、画像読取装置１は、処理を終了する。画像読取装置１が処理を終了するため、画像読取装置１は、サーバとして機能せず、携帯情報端末装置２００は、画像データを取得できない。このため、携帯情報端末装置２００は、後に説明するアクセス制限画像要求信号に対する応答信号を受信することができない。このため、図１１（ａ）に示されるように、所定の応答待機時間を経過後に、ページを表示できないことを示すページ不検出表示２８２を、端末表示部２１３に表示する。ページ不検出表示２８２に対応するページ不検出表示画像データは、携帯情報端末装置２００の端末メモリ２１２に記憶されている。しかしながら、この場合でも、画像読取装置１の無線通信接続部５２及び携帯情報端末装置２００の端末無線通信接続部２５２はそれぞれ機能し続けるため、画像読取装置１は、携帯情報端末装置２００との間の通信を維持している。
【００８２】
ステップＳ２１３において、ウェブサーバ部５３が部分アクセス制限モードであると判定された場合、画像読取装置１は、ステップＳ２１５において、アクセス制限画像要求信号を受信するまで待機する。
【００８３】
一方、携帯情報端末装置２００は、部分アクセス制御モードではアクセス許可信号を受信することはないため、ステップＳ２０７における所定のアクセス許可時間の経過後にステップＳ２１４に進む。次いで、ステップＳ２１４において、携帯情報端末装置２００は、アクセス制御画像要求信号を画像読取装置１に送信する。
【００８４】
次いで、ステップＳ２１５において、画像読取装置１は、アクセス制御画像要求信号を受信する。ここでは、アクセス制御画像要求信号を受信したアプリケーションサーバ部５４は、メモリ１２に記憶されるアクセス制限画像データにアクセスする。
【００８５】
次いで、ステップＳ２１６において、画像読取装置１は、アクセス制御画像信号を送信する。ここでは、アプリケーションサーバ部５４は、アクセス制限画像データをウェブサーバ部５３に送信する。次いで、ウェブサーバ部５３は、アクセス制限画像データに対応するＨＴＴＰアクセス制限画像データを含むＨＴＴＰアクセス制限画像信号を携帯情報端末装置２００のウェブブラウザ部２５３に送信する。
【００８６】
次いで、ステップＳ２１７において、携帯情報端末装置２００は、アクセス制限画像信号を受信する。ここでは、ＨＴＴＰアクセス制限画像データを含むＨＴＴＰアクセス制限画像信号を受信したウェブブラウザ部２５３は、対応するアクセス制限画像データを端末メモリ２１２に記憶する。
【００８７】
次いで、ステップＳ２１８において、携帯情報端末装置２００は、アクセス制限画像を表示する。ここでは、ユーザインタフェース部２５１は、端末メモリ２１２に記憶されるアクセス制限画像データを端末表示部２１３に表示可能なデータに変換し、端末表示部２１３にアクセス制限画像を表示する。
【００８８】
図１１（ｂ）に、ステップＳ２１８において、端末表示部２１３に表示されるアクセス制限画像を含む表示画面の一例を示す。ここでは、ダウンロードボタン２８１ｂと、削除ボタン２８１ｄとが端末表示部２１３に表示されていない。このため、携帯情報端末装置２００を使用するオペレータは、ダウンロード機能及び削除機能を実行できないことになる。なお、部分アクセス制限モードにより制限されるアクセスの種類は、ダウンロード機能及び削除機能のみでなく、編集機能など携帯情報端末装置２００からのアクセスにより処理可能な他の機能も含まれる。このように、部分アクセス制御モードでは、携帯情報端末装置２００の端末表示部２１３に表示される画像を選択することにより、何れかのアクセスを制限することができる。
【００８９】
以上、図９を参照して、画像読取装置１をサーバとする無線通信システム１００における通信フローについて説明してきた。画像読取装置１は、第１給紙ガイド３の開閉に応じて、携帯情報端末装置２００との無線通信回線を維持しながら、携帯情報端末装置２００とのアクセス制限及びアクセス制限の解除を行う。このため、携帯情報端末装置２００とのアクセスを制限したい場合には、オペレータは、画像読取装置１の第１給紙ガイド３を閉じればよい。一方、携帯情報端末装置２００とのアクセス制限を解除したい場合には、オペレータは、画像読取装置１の第１給紙ガイド３を開けることにより、再度の通信設定などのための付加的な作業及び通信設定時間を要することなく、アクセス制限を解除できる。このように、画像読取装置１では、携帯情報端末装置２００とのアクセスのセキュリティレベルを簡便且つ迅速に切替えられる。
【００９０】
図９を参照して説明したフローでは、画像読取装置１の第１給紙ガイド３の開閉に応じてアクセス制限及びアクセス制限の解除が行われる。しかしながら、画像読取装置１は、他の手段によっても、アクセス制限及びアクセス制限の解除可能なような設定が選択可能である。オペレータは、これら３つのアクセス制限及びアクセス制限の解除の何れか１つのみを機能させるように設定できる。また、オペレータは、これら３つのアクセス制限及びアクセス制限の解除の何れか２つ又は全てを機能させるように設定できる。
【００９１】
図１２は、無線通信システム１００において、読取処理を実行してから一定時間経過後に、アクセス制限がされる場合のフロー図である。図１２に示すフローは、画像読取装置１のメモリ１２及び携帯情報端末装置２００の端末メモリ２１２にそれぞれ記憶されるコンピュータプログラムにより、画像読取装置１の制御部１１及び携帯情報端末装置２００の端末制御部２１１が、対応する処理をそれぞれ実行する。Ｓ３０８〜Ｓ３２０は、図９に示すフローのステップＳ２０６〜Ｓ２１８に対応するため、ここでは説明を省略する。
【００９２】
まず、ステップＳ３０１において、画像読取装置１は、携帯情報端末装置２００と無線通信回線を接続する。
【００９３】
次いで、ステップＳ３０２において、画像読取装置１は、図６に示す画像読取処理フローに従って、原稿を読み取る。
【００９４】
次いで、ステップＳ３０３において、画像読取装置１は、アクセス制限がされているか否かを判定する。画像読取装置１がアクセス制限がされていると判定すると、処理は、ステップＳ３０４に進む。一方、画像読取装置１がアクセス制限が解除されていると判定すると、処理は、ステップＳ３０５に進む。
【００９５】
アクセス制限がされていると判定される場合、ステップＳ３０４において、画像読取装置１は、アクセス制限を解除する。
【００９６】
次いで、画像読取装置１は、ステップＳ３０６において、ステップＳ３０５で携帯情報端末装置２００から送信されたアクセス要求信号を受信する。
【００９７】
次いで、ステップＳ３０７において、画像読取装置１は、ステップＳ３０２に示す画像読取処理が実行された後に所定のアクセス制限待機時間を経過したか否かを判定する。時間計測部５５は、ステップＳ３０２における読取処理部５０による画像読取処理が終了した時から時間を計測している。所定のアクセス制限待機時間が経過したときに、時間計測部５５は、アクセス制限待機時間経過信号を生成する。アクセス制限待機時間経過信号が生成されていない場合には、画像読取装置１は、所定のアクセス制限待機時間が経過していないと判定し、処理は、ステップＳ３０８に進む。一方、アクセス制限待機時間経過信号が生成されている場合には、画像読取装置１は、所定のアクセス制限待機時間が経過したと判定し、処理は、ステップＳ３１５に進む。
【００９８】
このように、図１２に示すフローでは、画像読取装置１は、原稿を読み取ってから所定のアクセス制限待機時間が経過した場合に、アクセス制限する。また、アクセス制限された状態で、新たな原稿を読み取ることにより、アクセス制限を解除する。このため、図１２に示すフローでは、画像読取装置１は、携帯情報端末装置２００とのアクセスのセキュリティレベルを簡便に切替えられる。
【００９９】
図１３は、無線通信システム１００において、オペレータにより操作ボタン５が一定時間の間長押しがされた後に、アクセス制限がされる場合のフロー図である。図１３に示すフローは、画像読取装置１のメモリ１２及び携帯情報端末装置２００の端末メモリ２１２にそれぞれ記憶されるコンピュータプログラムにより、画像読取装置１の制御部１１及び携帯情報端末装置２００の端末制御部２１１がそれぞれ、対応する処理をそれぞれ実行する。ステップＳ４０１〜Ｓ４０４及びＳ４０６〜Ｓ４１８は、図９に示すフローのステップＳ２０１〜Ｓ２０４及びＳ２０６〜Ｓ２１８にそれぞれ対応するため、ここでは説明を省略する。
【０１００】
ステップＳ４０５において、画像読取装置１は、操作ボタン５が長押しされた回数が奇数回であるか又は偶数回であるかを判定する。ここでは、制御部１１は、メモリ１２に記憶される操作ボタン押下回数情報を参照して、操作ボタン押下回数情報が奇数の場合、操作ボタン５が奇数回長押しされたと判定してステップＳ４１３に進む。一方、制御部１１は、操作ボタン押下回数情報が偶数の場合、操作ボタン５が偶数回長押しされたと判定してステップＳ４０６に進む。
【０１０１】
このように、図１３に示すフローでは、画像読取装置１は、操作ボタン５が長押しされた回数により、アクセス制限し、又はアクセス制限を解除する。このため、オペレータがアクセスのセキュリティレベルを切替えたいときに、携帯情報端末装置２００とのアクセスのセキュリティレベルを迅速に切替えられることができる。
【０１０２】
図１４は、画像撮像装置３００をサーバとする他の無線通信システム４００を示す図である。無線通信システム４００は、サーバとして機能する画像撮像装置３００と、画像撮像装置３００に無線通信回線を介して接続されてクライアントとして機能する複数の携帯情報端末装置２００ａ〜２００ｃを有する。
【０１０３】
図１５（ａ）は、画像撮像装置３００の読取機能が無効な状態の画像撮像装置３００の正面図である。図１５（ｂ）は、画像撮像装置３００の画像撮像機能が有効な状態の画像撮像装置３００の正面図である。
【０１０４】
図１５に示すように、画像撮像装置３００は、撮像レンズ３０１と、バリア位置検出部３０９と、バリア３２４とを有する。
【０１０５】
図１５（ａ）に示すように、バリア３２４が撮像レンズ３０１の前面に位置するバリア閉位置に位置するとき、画像撮像装置３００は、撮像処理を実行できない。一方、図１５（ｂ）に示すように、撮像レンズ３０１の前面から外れた位置に位置するバリア開位置に位置するとき、画像撮像装置３００は、撮像処理を実行できる。このため、図１５（ａ）に示すように、バリア３２４がバリア閉位置に位置する状態は、画像撮像装置３００の画像撮像機能が無効な状態である。一方、図１５（ｂ）に示すように、バリア３２４がバリア開位置に位置する状態は、画像撮像装置３００の画像撮像機能が有効な状態である。
【０１０６】
バリア位置検出部３０９は、検出センサを有し、撮像レンズ３０１の近傍に配置される。バリア位置検出部３０９は、画像撮像装置３００の画像撮像機能が無効な状態であるか又は有効な状態であるかを検出する。バリア位置検出部３０９は、バリア３２４がバリア閉位置に位置する場合は、バリア３２４の近接を検出し、バリア３２４が閉じられていることを示すバリア閉検出信号を後述する撮像制御部３１１に送信する。
【０１０７】
図１６は、画像撮像装置３００の回路ブロック図である。画像撮像装置３００は、シャッタ３０３、撮像部３０５、撮像制御部３１１、撮像メモリ３１２、光学ファインダ３２０、撮像ボタン３２５、撮像アンテナ部３３１、撮像高周波部３３２及び撮像ベースバンド処理部３３３等を更に有する。
【０１０８】
図１７は、画像撮像装置３００の撮像制御部３１１の機能ブロック図である。撮像制御部３１１は、撮像処理部３５０と、撮像画像生成部３５１と、撮像無線通信接続部３５２と、撮像ウェブサーバ部３５３と、撮像アプリケーションサーバ部３５４とを有する。更に、撮像制御部３１１は、撮像時間計測部３５５と、撮像ボタン押下時間測定部３５６とを有する。
【０１０９】
撮像処理部３５０は、撮像レンズ３０１、シャッタ３０３、撮像部３０５及び光学ファインダ３２０などをそれぞれ駆動し、画像を撮像するための画像撮像装置３００の動作を制御して、画像を撮像する。
【０１１０】
画像生成部５１は、撮像部３０５の出力信号から画像データを生成する。
【０１１１】
撮像無線通信接続部３５２、撮像ウェブサーバ部３５３及び撮像アプリケーションサーバ部３５４はそれぞれ、画像読取装置１の無線通信接続部５２、ウェブサーバ部５３及びアプリケーションサーバ部５４と同様な機能を有する。
【０１１２】
撮像時間計測部３５５は、撮像処理部３５０による画像撮像処理が終了した時からの時間を計測し、所定の時間が経過したときに、時間経過信号を生成する。
【０１１３】
撮像ボタン押下時間測定部３５６は、撮像ボタン３２５が押下されたことを検出した時からの時間を計測し、所定の時間が経過したときに、撮像ボタン押下時間経過信号を生成する。撮像制御部３１１は、生成された撮像ボタン押下時間経過信号の数を累積加算して、撮像ボタン押下回数情報として撮像メモリ３１２に記憶する。撮像制御部３１１は、撮像ボタン押下回数情報が奇数の場合、撮像ウェブサーバ部３５３を完全アクセス制御モード又は部分アクセス制御モードに移行する。また、撮像制御部３１１は、撮像ボタン押下回数情報が偶数の場合、撮像ウェブサーバ部３５３を通常モードに移行する。
【０１１４】
図１８は、画像撮像装置３００による画像撮像処理を示すフロー図である。図１８に示すフローは、画像撮像装置３００の撮像メモリ３１２に記憶されるコンピュータプログラムにより、画像撮像装置３００の撮像制御部３１１が実行する。
【０１１５】
まず、Ｓ５０１において、画像撮像装置３００は電源が投入される。画像撮像装置３００は電源が投入されると、撮像メモリ３１２などに記憶される読取カウンタ、内蔵タイマ、及び画像処理ワークメモリ等のデータを初期化する。
【０１１６】
次いで、ステップＳ５０２において、画像撮像装置３００は、アクセス制限の各種設定をする。アクセス制限の設定は、撮像表示部３２８に表示されるソフトウェアボタンにより変更可能である。なお、アクセス制限に関する設定を変更しない場合、ステップＳ５０２の処理は省略することができる。
【０１１７】
次いで、ステップＳ５０３において、画像撮像装置３００は、オペレータが撮像ボタン３２５を押下したことを検出する。画像撮像装置３００が撮像ボタン３２５の押下を検出することにより、画像撮像装置３００は、画像撮像状態になる。
【０１１８】
次いで、ステップＳ５０４において、画像撮像装置３００は、撮像処理部３５０を機能させて画像を撮像する。
【０１１９】
そして、ステップＳ５０５において、画像撮像装置３００は、撮像画像生成部３５１を機能させて画像データを生成する。
【０１２０】
次に、図１９を参照して、画像撮像装置３００をサーバとし且つ携帯情報端末装置２００をクライアントとする無線通信システム４００における通信処理について説明する。図１９は、無線通信システム４００における通信処理のフロー図である。ステップＳ６０１、Ｓ６０３、Ｓ６０４及びＳ６０６〜Ｓ６１８は、図９に示すフローのステップＳ２０１、Ｓ２０３、Ｓ２０４及びＳ２０６〜Ｓ２１８にそれぞれ対応するため、ここでは説明を省略する。
【０１２１】
ステップＳ６０２において、画像撮像装置３００は、図１８に示す画像撮像処理フローに従って、画像を撮像する。ここでは、撮像処理部３５０及び撮像画像生成部３５１をそれぞれ機能させることにより画像撮像装置３００は、画像を撮像する。画像撮像装置３００は、撮像した画像に対応する画像データを撮像メモリ３１２に記憶する。
【０１２２】
ステップＳ６０５において、画像撮像装置３００は、バリア３２４が開いているか否かを判定する。すなわち、画像撮像装置３００は、バリア３２４がバリア閉位置に位置するか、又はバリア開位置に位置するかを判定する。ここでは、撮像制御部３１１は、ステップＳ６０４において、アクセス要求情報が生成されると、バリア位置検出部３０９からバリア閉検出信号を受信しているか否か判定する。撮像制御部３１１がバリア閉検出信号をバリア位置検出部３０９から受信していない場合は、バリア３２４が開けられていると判定され、処理は、ステップＳ６０６に進む。一方、撮像制御部３１１がバリア閉検出信号をバリア位置検出部３０９から受信している場合は、バリア３２４が閉じられていると判定され、処理は、ステップＳ６１３に進む。
【０１２３】
図１９を参照して説明したフローでは、画像撮像装置３００のバリア３２４の開閉に応じてアクセス制限及びアクセス制限の解除が行われる。しかしながら、画像撮像装置３００のバリア３２４は、他の手段によっても、アクセス制限及びアクセス制限の解除可能なような設定が選択可能である。例えば、撮像時間計測部３５５を機能させて、画像を撮像してから所定のアクセス制限待機時間が経過した場合に、アクセス制限する。また、アクセス制限された状態で、新たな画像を撮像することにより、アクセス制限を解除する。また、撮像ボタン押下時間測定部３５６を機能させて、撮像ボタン３２５が長押しされた回数により、アクセス制限し、又はアクセス制限を解除することができる。オペレータは、これら３つのアクセス制限及びアクセス制限の解除の何れか１つのみを機能させるように設定できる。また、オペレータは、これら３つのアクセス制限及びアクセス制限の解除の何れか２つ又は全てを機能させるように設定できる。
【０１２４】
以上、図１〜１９を参照して、様々な実施形態を説明してきた。しかしながら、本発明の精神、及び範囲を逸脱しない範囲内で、様々な変化及び変形を行うことができることが理解されるであろう。
【０１２５】
例えば、画像読取装置１は、表示部８を有さなくてもよい。画像読取装置１が表示部８を有さないときは、画像読取装置１の筐体２に無線通信を確立するための使用される通信情報に対応するＱＲコード（登録商標）が標示される。また、表示される又は標示されるＱＲコード（登録商標）の代わりにバーコードなど携帯情報端末装置２００が読取可能な他の情報表示形態を使用してもよい。また、操作ボタン５は、表示部８のＧＵＩ上に表示されたソフトウェアボタンであってもよい。この場合、表示部８の表面に設けられた透明のタッチパネルの出力信号を検出することによって、操作ボタン５の操作による入力を受け付ける。
【０１２６】
また、画像読取装置１のアクセス制限の設定の切換えは、アクセス制限設定用紙の読み取りだけでなく、携帯情報端末装置２００の端末表示部２１３に表示される設定ボタン２８１ａを使用して実行可能である。
【０１２７】
以上、実施形態を説明したが、ここに記載したすべての例や条件は、発明および技術に適用する発明の概念の理解を助ける目的で記載されたものであり、特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【符号の説明】
【０１２８】
１    画像読取装置
１００、４００    通信システム
２００    携帯情報端末装置
３００    画像撮像装置
【図１】
0005889003.tif 000002
【図２】
0005889003.tif 000003
【図３】
0005889003.tif 000004
【図４】
0005889003.tif 000005
【図５】
0005889003.tif 000006
【図６】
0005889003.tif 000007
【図７】
0005889003.tif 000008
【図８】
0005889003.tif 000009
【図９】
0005889003.tif 000010
【図１０】
0005889003.tif 000011
【図１１】
0005889003.tif 000012
【図１２】
0005889003.tif 000013
【図１３】
0005889003.tif 000014
【図１４】
0005889003.tif 000015
【図１５】
0005889003.tif 000016
【図１６】
0005889003.tif 000017
【図１７】
0005889003.tif 000018
【図１８】
0005889003.tif 000019
【図１９】
0005889003.tif 000020